(57)【要約】【課題】実釣時において、クラッチＯＦＦ操作に続く一連の魚釣り操作を容易かつ確実に行なえる魚釣用リールを提供する。【解決手段】本発明の魚釣用リールは、リール本体１に回転自在に支持したスプール７をリール本体の側部に設けられたハンドル５の回転操作によって巻き取り駆動すると共に、スプール７を、釣糸を放出するスプールフリー状態と釣糸を巻き取る動力伝達状態に切り換えるクラッチ機構を備えている。そして、リール本体１に、クラッチ機構の切り換え操作、及びスプール７に釣糸を補助的に巻回可能とする釣糸巻回補助操作の両操作を可能にする操作部５０を設けたことを特徴とする。【選択図】    図１
2005151910.tif 000002
【特許請求の範囲】
【請求項１】
リール本体に回転自在に支持したスプールを、前記リール本体の側部に設けられたハンドルの回転操作によって巻き取り駆動すると共に、前記スプールを、釣糸を放出するスプールフリー状態と釣糸を巻き取る動力伝達状態に切り換えるクラッチ機構を備えた魚釣用リールにおいて、
前記リール本体に、前記クラッチ機構の切り換え操作、及び前記スプールに釣糸を補助的に巻回可能とする釣糸巻回補助操作の両操作を可能にする操作部を設けたことを特徴とする魚釣用リール。
【発明の詳細な説明】
【技術分野】
【０００１】
本発明は、リール本体の側板間に回転自在に支持されたスプールを、釣糸巻き取り状態と釣糸放出状態の両状態に切り換えるクラッチ機構を備えた魚釣用リールに関する。
【背景技術】
【０００２】
実際の魚釣り操作において、リールを保持した状態でクラッチ機構の切換部材を移動操作してスプールフリー状態で釣糸を所定量放出し、その後、ハンドルを巻き取り方向に回転してクラッチをＯＮ状態とし、魚を待つことが行なわれている。このような操作において、釣糸を放出している段階で魚が食い付くことがある。
【０００３】
この場合、釣人は、咄嗟にハンドルを巻き取り操作してクラッチをＯＮ状態に移行した後、ロッド（釣竿）の合わせ操作ができる状態に移行しなければならず、この一連の操作がやり難い。そこで、例えば、特許文献１や特許文献２に開示されているように、リールを保持した手の指で、クラッチ機構をＯＮ→ＯＦＦ、及びＯＦＦ→ＯＮの両状態に切り換え可能とし、釣糸放出状態時に魚が食い付いても、切換部材を指で移動操作するだけでスプールを巻き取り状態に切り換えて、素早いロッドの合わせ操作ができる状態にできるようにした魚釣用リールが知られている。
【特許文献１】特開昭６０−７８５２６号
【特許文献２】特開平７−３９２８５号
【発明の開示】
【発明が解決しようとする課題】
【０００４】
上記した従来の魚釣用リールによれば、釣糸放出状態から釣糸巻き取り状態への移行操作が容易にできて、素早いロッドの合わせ操作ができる効果は期待できる。  
しかしながら、実釣時では、餌の一種であるルアー（擬似餌）を止めたり、動かしたり等のアクションを与えて魚を誘導する釣法が行なわれており、このような釣法では、ロッドを引き上げてルアーにアクションを与え、ロッドを下げながら糸ふけが生じないようにハンドルを回転操作してスプールに釣糸を巻回している。
【０００５】
ところで、このようなルアーアクション操作は、リールを握持保持した手によるロッド操作と、反対側の手によるハンドル巻き取り回転操作とを使い分けて行なわなければならず、このロッド操作する手が伸びきっていたり、ハンドルが下側に向いている状態では、容易かつ微妙なハンドル回転操作ができない。すなわち、クラッチのＯＦＦ→キャスティング→クラッチのＯＮ→魚の誘導操作、等の一連の魚釣り操作を容易かつ確実に行なえない、という問題がある。
【０００６】
本発明は、上記したような問題に基づいてなされたものであり、実釣時において、クラッチＯＦＦ操作に続く一連の魚釣り操作を容易かつ確実に行なえる魚釣用リールを提供することを目的とする。
【課題を解決するための手段】
【０００７】
上記した目的を達成するために、本発明に係る魚釣用リールは、リール本体に回転自在に支持したスプールを、前記リール本体の側部に設けられたハンドルの回転操作によって巻き取り駆動すると共に、前記スプールを、釣糸を放出するスプールフリー状態と釣糸を巻き取る動力伝達状態に切り換えるクラッチ機構を備えており、前記リール本体に、前記クラッチ機構の切り換え操作、及び前記スプールに釣糸を補助的に巻回可能とする釣糸巻回補助操作の両操作を可能にする操作部を設けたことを特徴とする。
【０００８】
上記した構成の魚釣用リールによれば、リール本体、及び釣竿を保持する手の指で操作部を操作することで、クラッチがＯＦＦにされ、キャスティング操作を行った後、その操作部をそのまま操作することでクラッチをＯＮに切り換えることが可能になる。また、この操作部を操作することで、釣糸を補助的にスプールに巻回させることも可能となる。すなわち、キャスティング操作を行なった後、釣竿を操作する腕の伸縮状態や、その腕の手首の状態に何等影響を受けることなく、クラッチＯＮの切り換え操作や、釣糸の巻き取り操作が容易かつ確実に行なえるようになる。
【発明の効果】
【０００９】
本発明の魚釣用リールによれば、釣竿及びリール本体を保持した手の指の操作で、クラッチのＯＮ、ＯＦＦ操作、及び釣糸の補助的な巻回操作が可能となり、クラッチＯＦＦ操作に続く一連の魚釣り操作を容易かつ確実に行なえるようになる。
【発明を実施するための最良の形態】
【００１０】
以下、本発明に係る魚釣用リールの実施形態について、添付図面を参照して具体的に説明する。図１〜図６は、本発明に係る魚釣用リールの実施形態の構成を示す図であり、図１は平面図、図２は側板を外してハンドル側から見た側面図（一方向クラッチ部分の断面図）、図３は図１のＡ−Ａ線に沿った断面図、図４は操作部の領域を切欠いた部分断面平面図、図５は図４の主要部の拡大図、そして、図６は指当て部材に指を載置して操作部を操作する状態を示す図である。
【００１１】
本実施形態の魚釣用リールのリール本体１は、左右フレーム２ａ，２ｂと、各フレームに対し、所定の空間をもって装着される左右側板３ａ，３ｂとを備えており、一方の側板側（本実施形態では右側板３ｂ側）には、ハンドル５を装着したハンドル軸６が回転可能に支持されている。
【００１２】
左右側板３ａ，３ｂ間には、釣糸が巻回されるスプール７が取り付けられたスプール軸８が回転可能に支持されており、スプール７は、前記ハンドル軸６に取り付けられている駆動歯車１０及びスプール軸８に係脱可能に支持されているピニオン１２を具備した巻き取り駆動機構１３を介して、ハンドル５の回転操作によって回転駆動されるように構成されている。また、左右フレーム２ａ，２ｂ間には、スプール軸８よりも前方側で、かつ上方側に、リール本体を握り込んだ際、親指が載置できるように指当て部材（サムレスト）１５が配置されている。
【００１３】
前記ハンドル軸６には、スプール７に対する制動力を調節する公知のドラグ機構を操作するための回転体１６（ドラグ調節体）が設けられており、この回転体１６を回転操作することによって、釣糸繰出時のスプール回転に所望の制動力が付与されるようになっている。また、前記ピニオン１２には、公知のクラッチ機構１７が係合しており、スプール後方のクラッチレバー１８を押し下げることでスプール軸８との係合を解除してクラッチＯＦＦ（スプールフリー状態）とし、ハンドル５を巻き取り操作することで、クラッチＯＦＦからクラッチＯＮ（スプール回転状態）に自動復帰できるようになっている。
【００１４】
具体的には、クラッチ機構１７は、右フレーム２ｂに回動可能に支持されたクラッチ切換板２０を備えており、前記クラッチレバー１８を押し下げることで、図２においてピニオン１２部分を中心として反時計回り方向に回動され、クラッチ切換板２０の表面に形成されたカム２１、及びこれに係合されるアーム２２によってピニオン１２を、図中、手前側に移動させて、ピニオン１２とスプール軸８との係合を解除してクラッチＯＦＦ（スプールフリー状態）とする。また、クラッチ切換板２０には、公知の復帰機構２３が係合しており、ハンドル５を巻き取り操作することで、ハンドル軸６の基端側に設けられたラチェット２４が復帰機構２３を駆動してクラッチ切換板２０をクラッチＯＮ（スプール回転状態）に自動復帰させる。
【００１５】
なお、クラッチ切換板２０と右フレームとの間には、振り分け保持バネ２５が配設されており、上記したクラッチ切換板２０のクラッチＯＮ状態と、クラッチＯＦＦ状態を振り分け保持するようになっている。
【００１６】
前記巻き取り駆動機構１３には、歯車伝達機構３０が連結されており、後述する操作部を操作することで、歯車伝達機構３０を介してスプールを補助的に巻き取り操作できると共に、この操作部の操作によって、クラッチＯＦＦからクラッチＯＮへの復帰が行なえるように構成されている。
【００１７】
前記歯車伝達機構３０は、駆動歯車１０と隣接するようにハンドル軸６に取り付けられた歯車３１と、この歯車３１に噛合すると共にスプール７に釣糸を平行に巻回するよう左右に往復動する公知のレベルワインド装置４０を構成する駆動軸４１の端部に取り付けられた歯車３２と、右フレーム２ｂに一体回転可能に併設支持された歯車３３，３４とを備えている。なお、前記歯車３２は、併設された歯車の内、ハンドル側の歯車３３に噛合している。
【００１８】
前記左右側板３ａ，３ｂ間には、前記指当て部材１５に親指を載置した際、その指で操作可能な操作部５０が回動可能に支持されている。この操作部５０は、各フレーム２ａ，２ｂに軸受を介して回転可能、かつ指当て部材１５の後端縁に沿うように支持された駆動軸５１に取り付けられており、駆動軸５１を囲繞するように配設される基部５０ａと、この基部５０ａから軸方向に亘って径方向に突出する操作片５０ｂとを備えている。この場合、操作片５０ｂは、指当て部材１５の表面から上方に向けて突出しており、図６に示すように、指当て部材１５に親指を載置した状態で、その指の腹部で回動操作できるようになっている。なお、操作片５０ｂは、図に示すように、斜め後方に向けて突出するように配置しておくことで、より回動操作が行ない易くなる。
【００１９】
前記操作部５０は、基部５０ａにピン５２を嵌め込むことで駆動軸５１に固定されている。また、操作部５０の基部には、左フレーム２ａとの間で付勢バネ５３が設けられており、操作片５０ｂは、常時、前方側に回動する方向に付勢されている。この場合、付勢バネ５３の付勢力は、上記した振り分け保持バネ２５の付勢力よりも弱くなるように設定されている。
【００２０】
前記操作部の操作片５０ｂは、基部５０ａより先端部が先細状となるように形成しておくことが好ましく、これにより糸絡みを効果的に防止できるようになる。また、基部５０ａは、左右フレーム間において、指当て部材１５の後端縁の略全体と重なる程度の幅広に形成されており、回動操作が行ない易いように構成されている。
【００２１】
前記駆動軸５１は、右フレーム２ｂからハンドル側に突出しており、その突出端には、前記歯車３４と噛合する歯車５５が取り付けられている。そして、この歯車５５と前記駆動軸５１との間には、一方向クラッチ６０が介在されている。一方向クラッチ６０は、右側板側に設けられた一方向クラッチ収容部６１内に収容されており、前記歯車５５に嵌合される外輪と、複数のコロ及びこれを保持する保持器とを備えており、操作部５０の操作部片５０ｂを付勢バネ５３の付勢力に抗して後方に回動（倒伏）操作すると、一方向クラッチ６０の各コロが楔領域に押し付けられて、その回転は、そのまま歯車５５に伝達されるようになっている。そして、この歯車５５の回転は、上記した歯車伝達機構３０を介して巻き取り駆動機構１３の駆動歯車１０に伝達され、ハンドル５を釣糸巻き取り方向に回転させることができるようになっている（釣糸をスプールに補助的に巻回する）。
【００２２】
また、一方向クラッチ６０は、ハンドル５を釣糸巻き取り方向に回転操作した際、その回転は歯車伝達機構３０を介して歯車５５に伝達されるものの、一方向クラッチ６０の各コロがフリー回転領域に移動して、その回転は駆動軸５１（操作部５０）に伝達されないようになっている。
【００２３】
前記駆動軸５１の端部には、一方向クラッチ６０に隣接して、切換操作板７０が回り止め嵌合されている。切換操作板７０は、駆動軸５１に対して径方向に突出する延出部を備えており、図２に示すように、その延出部の一部が前記クラッチ切換板２０と重なるように構成されている。そして、この延出部には、クラッチ切換板２０の表面に突設されたピン２６と係合する円弧状の長孔７１が形成されている。この長孔７１を規定する一方の端部（一端）７１ａは、クラッチＯＮ状態において、前記操作部５０の操作片５０ｂが、図２に示すように、斜め後方に向けて突出する状態を維持する位置が初期位置Ｐとなるように、操作部５０の回動を規制している。すなわち、操作部５０は、駆動軸５１に設けられる付勢バネ５３によって、Ａ方向に回動付勢された状態にあるが、駆動軸５１に一体的に回転可能に取り付けられる切換操作板７０の長孔７１の一端７１ａにピン２６が当て付くこと、及び付勢バネ５３の付勢力が振り分け保持バネ２５の付勢力よりも弱く設定されていることで、その回動が規制された状態となっている。
【００２４】
前記切換操作板７０の長孔７１には、クラッチ切換板２０がＡ方向に回動した際、その回動軌跡に沿ってピン２６が逃げることができるように誘導溝７１ｂが形成されている。すなわち、クラッチレバー１８を押し下げることで、クラッチ切換板２０がＡ方向に回動した際、或いは、操作部５０の操作片５０ｂをＡ方向に回動させて切換操作板７０が時計回り方向に回動した際、ピン２６は、長孔７１の一端７１ａに当接した状態で、誘導溝７１ｂ内に移動する。また、前記円弧状の長孔７１の長さは、操作片５０ｂを図２においてＢ方向に回動して切換操作板７０を回動した際、ピン２６からクラッチ切換板２０に駆動力が伝達されないような（ピン２６に当接しないような）長さに設定されている。
【００２５】
次に、図７〜図１２を参照して、上記のように構成された魚釣用リールの作用について説明する。  
図７に示す状態において、クラッチ機構１７をＯＦＦにすべく、クラッチレバー１８（図１参照）を押し下げると、クラッチ切換板２０は矢印Ａ方向に回動され、ピニオンとスプール軸との係合が外れてスプールフリー状態となる。この際、操作部５０の操作片５０ｂも、クラッチ切換板２０と切換操作板７０との係合関係により、矢印Ａ方向に回動される。換言すれば、クラッチＯＮからＯＦＦへの切換操作は、クラッチレバーの押し下げ操作以外にも、図１０に示すように、操作部５０の操作片５０ｂを矢印Ａ方向に回動操作することで行なえるようになっている。このため、リール本体を握持保持して指当て部材１５に親指を載置した状態で、そのまま親指を前方に押し出す操作をすることで、クラッチをＯＦＦに切り換えることが可能となり、操作性の向上が図れるようになる。なお、クラッチをＯＦＦ操作すると、クラッチ切換板２０の回動により、ピン２６は、図１１及び図１２に示すように、長孔７１の誘導溝７１ｂに移動する。
【００２６】
上記した構成の操作部５０は、クラッチ機構１７をスプールフリー状態に切り換えて、キャスティング操作を行った後、釣竿と共にリール本体の反ハンドル側の側板３ａを握持保持している手の指で操作片５０ｂを付勢バネ５３の付勢力に抗して、矢印Ｂ方向に回動操作（倒伏操作）することが可能となる（図９参照）。このような回動操作を連続的に行なうことで、一方向クラッチ６０、及び歯車伝達機構３０を介して、その回動力がハンドル軸６に伝達されることから、クラッチ機構１７が前記復帰機構２３によってスプールフリー状態から巻き取り状態に切り換えられると共に、そのまま連続してスプール７の微妙な巻き取り操作（巻き取り補助操作）が行なえるようになる。この場合、操作片５０ｂを付勢バネ５３の付勢力に抗して、矢印Ｂ方向に回動操作（倒伏操作）すると、図８に示すように、クラッチ切換板２０のピン２６は、長孔７１の円弧形状によって、切換操作板７０の回動に干渉することはない。
【００２７】
なお、クラッチのＯＦＦからＯＮへの復帰は、操作片５０ｂを矢印Ｂ方向に回動操作することで行なうこともでき、スプールフリー状態から、例えば、魚が掛かった場合等、素早くスプール巻き取り状態に切り換えることが可能となる。
【００２８】
上記したように、リール本体を握持保持している一方の手（左手）の親指で操作片５０ｂを前方に押し出すことでクラッチＯＦＦ（スプールフリー状態）とし、キャスティング操作後に、図９に示すように、この一方の手の親指で操作片５０ｂを押込むように回動操作したり、操作片５０ｂを前方に倒伏させることでクラッチ機構１７が自動的にＯＦＦからＯＮ（巻き取り状態）に切り換えられる。つまり、手を持ち替えることなく、一方の手の親指操作でクラッチＯＮからＯＦＦ、ＯＦＦからＯＮの切り換え、そして、引き続いて釣糸の補助巻き取り操作が行なえるようになり、その後、他方の手（右手）で素早くハンドルによる巻き取り操作に移行することも可能となる。
【００２９】
このように、本実施形態に魚釣用リールでは、釣竿を操作する腕の伸縮状態や、その腕の手首の状態に何等影響を受けることなく、リール本体１を握持保持している手の指で操作部５０を操作することで、安定した保持状態を維持しながら、スプールフリー状態から素早く動力伝達状態に移行復帰できると共に、引き続いて行なわれる魚の誘導操作等、一連の魚釣操作を、単一の操作部５０の操作で全て行なうことができるので、操作性が非常に良く、状況に応じた素早い対応が容易に行なえるようになる。
【００３０】
また、操作部５０の駆動軸５１と歯車５５との間には、一方向クラッチ６０が介在しているため、ハンドル５を巻き取り操作してスプール７に釣糸を巻回する時には、操作部５０が連動することはなく、かつ操作部５０の操作片５０ｂを押込んでいても、一方向クラッチの作用で、ハンドル回転による巻き取り操作を支障なく行なえる。すなわち、リールの保持操作、スプールによる補助巻き取り操作、及び指当て部材に親指を当接した状態でのハンドルの巻き取り操作、の一連の複合操作が支障なく行なえるようになる。
【００３１】
以上、本発明の実施形態について説明したが、上述した一方向クラッチ６０を介在して配設される操作部５０は、ハンドルを巻き取り駆動した際に、回転駆動される各所の回転体上に設けることが可能であり、また、その操作片は、リール本体を握持、保持している手の指で操作可能な位置に設けられていれば、その配置箇所は限定されることは無く、リール本体の適所に設けることが可能である。この場合、上記した実施形態のように、指当て部材１５の後端縁に沿うように配置しておくことにより、リール本体を握り込んだ際に指当て部材１５に親指を載置すると、そのまま親指の腹部で倒伏操作が行なえるため、操作性の面から好ましい。
【００３２】
また、釣糸の補助的な巻回を可能にする操作部５０は、更にクラッチＯＦＦにすべくクラッチ機構１７のクラッチ切換板２０を回動できるように構成されたものであれば良く、クラッチ切換板に対する係合方法や具体的な構成については、適宜変形することが可能である。
【図面の簡単な説明】
【００３３】
【図１】本発明に係る魚釣用リールの一実施形態を示す平面図。
【図２】側板を外してハンドル側から見た側面図であり、一方向クラッチ部分の断面図。
【図３】図１のＡ−Ａ線に沿った断面図。
【図４】操作部の領域を切欠いた部分断面平面図。
【図５】図４の主要部の拡大図。
【図６】指当て部材に指を載置して操作部を操作する状態を示す図。
【図７】側板を外してハンドル側から見た側面図であり、切換操作板部分における断面図。
【図８】図７の主要部の拡大図。
【図９】操作部を操作して、釣糸を補助的に巻回する状態を示す図
【図１０】操作部を操作して、クラッチＯＦＦにする状態を示す図。
【図１１】側板を外してハンドル側から見た側面図であり、クラッチＯＦＦにした際の各部材の位置関係を示す図。
【図１２】図１１の主要部の拡大図。
【符号の説明】
【００３４】
１  リール本体
３ａ，３ｂ  側板
５  ハンドル
７  スプール
１７  クラッチ機構
３０  歯車伝達機構
５０  操作部
５０ｂ  操作片
６０  一方向クラッチ
７０  切換操作板
【図１】
2005151910.tif 000003
【図２】
2005151910.tif 000004
【図３】
2005151910.tif 000005
【図４】
2005151910.tif 000006
【図５】
2005151910.tif 000007
【図６】
2005151910.tif 000008
【図７】
2005151910.tif 000009
【図８】
2005151910.tif 000010
【図９】
2005151910.tif 000011
【図１０】
2005151910.tif 000012
【図１１】
2005151910.tif 000013
【図１２】
2005151910.tif 000014